【手続補正書】
【提出日】平成17年11月2日(2005.11.2)
【手続補正１】
【補正対象書類名】明細書
【補正対象項目名】全文
【補正方法】変更
【補正の内容】
【書類名】  明細書
【発明の名称】  トルクリミッタ付ダンパ装置
【特許請求の範囲】
【請求項１】  機関の出力軸と伝動装置の動力伝達軸との間に介挿され、前記両軸間の捩れ振動を吸収するダンパ装置であって、
伝動装置側から機関の出力軸に締結手段で連結されるフライホイールと、
締結手段の径方向位置より径方向内側で伝動装置の動力伝達軸に連結され、フライホイールと動力伝達軸との間の捩れ振動を吸収する捩れダンパと、フライホイールと動力伝達軸との間で伝達されるトルクを制限するトルクリミッタとから構成されるトルクリミッタ付ダンパ装置において、
前記トルクリミッタは、捩れダンパに連結された摩擦ディスクと、該摩擦ディスクを挟んで相互に回り止め連結された一対のプレートと、それら一対のプレートを摩擦ディスクに押圧する付勢手段と、該付勢手段にセット荷重を負荷する荷重設定手段とから成って、セット荷重負荷状態で捩れダンパに連結され、捩れダンパと組合された組立体とされ、
前記一対のプレートは、それらプレートとは別体の連結部材により回り止め連結され、一方のプレートにフライホイールへの取付手段が設けられたことを特徴とするトルクリミッタ付ダンパ装置。
【請求項２】  機関の出力軸と伝動装置の動力伝達軸との間に介挿され、前記両軸間の捩れ振動を吸収するダンパ装置であって、
伝動装置側から機関の出力軸に締結手段で連結されるフライホイールと、
締結手段の径方向位置より径方向内側で伝動装置の動力伝達軸に連結され、フライホイールと動力伝達軸との間の捩れ振動を吸収する捩れダンパと、フライホイールと動力伝達軸との間で伝達されるトルクを制限するトルクリミッタとから構成されるトルクリミッタ付ダンパ装置において、
前記トルクリミッタは、捩れダンパに連結された摩擦ディスクと、該摩擦ディスクを挟んで相互に回り止め連結された一対のプレートと、それら一対のプレートを摩擦ディスクに押圧する付勢手段と、該付勢手段にセット荷重を負荷する荷重設定手段とから成って、セット荷重負荷状態で捩れダンパに連結され、捩れダンパと組合された組立体とされ、
前記一対のプレートは、それらプレートとは別体の連結部材により回り止め連結され、該連結部材にフライホイールへの取付手段が設けられたことを特徴とするトルクリミッタ付ダンパ装置。
【請求項３】  機関の出力軸と伝動装置の動力伝達軸との間に介挿され、前記両軸間の捩れ振動を吸収するダンパ装置であって、
伝動装置側から機関の出力軸に締結手段で連結されるフライホイールと、
締結手段の径方向位置より径方向内側で伝動装置の動力伝達軸に連結され、フライホイールと動力伝達軸との間の捩れ振動を吸収する捩れダンパと、フライホイールと動力伝達軸との間で伝達されるトルクを制限するトルクリミッタとから構成されるトルクリミッタ付ダンパ装置において、
前記トルクリミッタは、捩れダンパに連結された摩擦ディスクと、該摩擦ディスクを挟んで相互に回り止め連結された一対のプレートと、それら一対のプレートを摩擦ディスクに押圧する付勢手段と、該付勢手段にセット荷重を負荷する荷重設定手段とから成って、セット荷重負荷状態で捩れダンパに連結され、捩れダンパと組合された組立体とされ、
前記一対のプレートは、それらプレートの一方を他方に係合させて回り止め連結され、一方のプレートにフライホイールへの取付手段が設けられたことを特徴とするトルクリミッタ付ダンパ装置。
【請求項４】  前記トルクリミッタと捩れダンパとから成る組立体は、機関の出力軸に連結済みのフライホイールに取付けられる、請求項１〜３のいずれか１項記載のトルクリミッタ付ダンパ装置。
【請求項５】  前記組立体は、ノックピンを介するフライホイールへの位置決めにより機関の出力軸に対して心出しされる、請求項１〜４のいずれか１項記載のトルクリミッタ付ダンパ装置。
【請求項６】  前記捩れダンパは、捩れ吸収スプリングを介して相互に連結する第１及び第２のダンパディスクを有し、第１のダンパディスクの外周側にトルクリミッタの摩擦ディスクが取付けられ、第２のダンパディスクの内周に伝動装置の動力伝達軸と係合するスプラインが設けられた、請求項１〜５のいずれか１項記載のトルクリミッタ付ダンパ装置。
【発明の詳細な説明】
【０００１】
【発明の属する技術分野】
本発明は、機関の出力軸と伝動装置の動力伝達軸との間に介挿されるダンパ装置に関し、特に、その機関の動力伝達軸への組付け方法を改善する技術に関する。
【０００２】
【従来の技術】
車両の原動機とされる燃焼機関（本明細書において、機関という）は、シリンダ内に間歇的に生じる燃焼圧力をピストンの駆動力とし、これを出力軸に伝達して駆動トルクを得ることから、出力軸にはトルク振動が生じる。このトルク振動を減衰させて伝動装置に伝達すべく、従来より、伝動装置中に手動変速機を配したものでは、機関出力軸にトルク振動の加速度変化成分を減衰させる慣性質量としてのフライホイールが取付けられ、クラッチに速度変化成分を減衰させる変位抵抗としての捩れダンパが組込まれる。また、伝動装置中に自動変速機を配したものでは、トルクコンバータが振動減衰能を持つことから、機関出力軸と変速機構とを直結するロックアップクラッチ中に捩れダンパが組込まれる。
【０００３】
ところで、近時、原動機として、機関と電動機（本明細書において、電動機、発電機、電動発電機を総称して電動機という）を併載するハイブリッド方式の車両が実用化されるに到っている。こうした車両では、前記のようにトルク振動する機関出力軸と、実用上トルク振動を無視できる電動機が駆動連結されるが、電動機のロータは慣性質量が大きいことから、機関や電動機のトルクが急激に変化したときに、捩れダンパでは対応し得ない過大な捩れ力が機関出力軸とロータ軸との間に作用する可能性がある。そこで、この過大な捩れ力を両軸間のスリップで逃がすべく、トルクリミッタが付設される。
【０００４】
こうしたトルクリミッタ付ダンパ装置の例として、従来、図９に示すような特開平１０−２６７１１４号公報に開示の技術がある。このダンパ装置におけるトルクリミッタａは、在来の手動変速機における乾式単板クラッチのクラッチプレートと同様に、２つのディスクの間にダンパスプリングを介在させた捩りダンパｂの外周に摩擦板ｃを取付け、この摩擦板ｃをフライホイールｄにスプリングｅで押圧する構成を採ることから、機関出力軸ｆに取付けられたフライホイールｄ内に、捩りダンパｂ、プレッシャプレートｇ、スプリングｅ、止めリングｈの順に各部品を組込み、最終的に止めリングｈをフライホイールｄにボルトで締結することで機関側に取付けられ、別途組立られた電動機を内蔵する伝動装置の動力伝達軸ｉを捩れダンパｂの内周にスプライン係合連結することで機関と伝動装置が一体化される。
【０００５】
【発明が解決しようとする課題】
しかしながら、前記のように、捩れダンパｂとトルクリミッタａを構成する各部品ｇ，ｅ，ｈをフライホイールｄ内に組付ける工程を採る場合、伝動装置の動力伝達軸ｉをスプライン係合連結させる捩れダンパｂの内周径が小さいことから、機関出力軸ｆの軸端にフライホイールｄを取付ける固定手段は、捩れダンパｂにより覆われる構造となるため、フライホイールｄの機関出力軸ｆへの取付け後でなければ捩れダンパｂとトルクリミッタａの組込みを行なうことができない。
【０００６】
したがって、従来の組付け手順では、捩れダンパｂの軸心位置合わせ（心出し）を行ないながらトルクリミッタａをフライホイールｄにボルトで締結しなければならないため、心出しのための何等かの治具を必要とするだけでなく、その組付け時の各部品の重力による偏りを嫌って垂直姿勢による組み付け作業とする場合、形状、重量ともに大きな機関の移動や姿勢変更を必要とし、作業の非能率は避けられない。
【０００７】
また、トルクリミッタａは、フライホイールｄにボルトで締結される段階でセット荷重を負荷されて、初めてその機能を発揮するため、トルクリミッタａの性能を評価する場合に、機関やフライホイールｄまで含めた形で行わなければならず、このことによっても、作業の非能率は避けられない。
【０００８】
本発明は、こうした事情を改善すべく案出されたものであり、捩れダンパとトルクリミッタの組立工程において、機関の取扱いを不要とする構造のトルクリミッタ付ダンパ装置を提供することを主たる目的とする。
【０００９】
【課題を解決するための手段】
前記の目的は、請求項１に記載のように、機関の出力軸と伝動装置の動力伝達軸との間に介挿され、前記両軸間の捩れ振動を吸収するダンパ装置であって、伝動装置側から機関の出力軸に締結手段で連結されるフライホイールと、締結手段の径方向位置より径方向内側で伝動装置の動力伝達軸に連結され、フライホイールと動力伝達軸との間の捩れ振動を吸収する捩れダンパと、フライホイールと動力伝達軸との間で伝達されるトルクを制限するトルクリミッタとから構成されるトルクリミッタ付ダンパ装置において、前記トルクリミッタは、捩れダンパに連結された摩擦ディスクと、該摩擦ディスクを挟んで相互に回り止め連結された一対のプレートと、それら一対のプレートを摩擦ディスクに押圧する付勢手段と、該付勢手段にセット荷重を負荷する荷重設定手段とから成って、セット荷重負荷状態で捩れダンパに連結され、捩れダンパと組合された組立体とされ、前記一対のプレートは、それらプレートとは別体の連結部材により回り止め連結され、一方のプレートにフライホイールへの取付手段が設けられたことを特徴とする構成により達成される。
【００１０】
前記の目的は、請求項２に記載のように、機関の出力軸と伝動装置の動力伝達軸との間に介挿され、前記両軸間の捩れ振動を吸収するダンパ装置であって、伝動装置側から機関の出力軸に締結手段で連結されるフライホイールと、締結手段の径方向位置より径方向内側で伝動装置の動力伝達軸に連結され、フライホイールと動力伝達軸との間の捩れ振動を吸収する捩れダンパと、フライホイールと動力伝達軸との間で伝達されるトルクを制限するトルクリミッタとから構成されるトルクリミッタ付ダンパ装置において、前記トルクリミッタは、捩れダンパに連結された摩擦ディスクと、該摩擦ディスクを挟んで相互に回り止め連結された一対のプレートと、それら一対のプレートを摩擦ディスクに押圧する付勢手段と、該付勢手段にセット荷重を負荷する荷重設定手段とから成って、セット荷重負荷状態で捩れダンパに連結され、捩れダンパと組合された組立体とされ、前記一対のプレートは、それらプレートとは別体の連結部材により回り止め連結され、該連結部材にフライホイールへの取付手段が設けられたことを特徴とする構成により達成される。
【００１１】
前記の目的は、請求項３に記載のように、機関の出力軸と伝動装置の動力伝達軸との間に介挿され、前記両軸間の捩れ振動を吸収するダンパ装置であって、伝動装置側から機関の出力軸に締結手段で連結されるフライホイールと、締結手段の径方向位置より径方向内側で伝動装置の動力伝達軸に連結され、フライホイールと動力伝達軸との間の捩れ振動を吸収する捩れダンパと、フライホイールと動力伝達軸との間で伝達されるトルクを制限するトルクリミッタとから構成されるトルクリミッタ付ダンパ装置において、前記トルクリミッタは、捩れダンパに連結された摩擦ディスクと、該摩擦ディスクを挟んで相互に回り止め連結された一対のプレートと、それら一対のプレートを摩擦ディスクに押圧する付勢手段と、該付勢手段にセット荷重を負荷する荷重設定手段とから成って、セット荷重負荷状態で捩れダンパに連結され、捩れダンパと組合された組立体とされ、前記一対のプレートは、それらプレートの一方を他方に係合させて回り止め連結され、一方のプレートにフライホイールへの取付手段が設けられたことを特徴とする構成により達成される。
【００１２】
上記の構成において、請求項４に記載のように、前記トルクリミッタと捩れダンパとから成る組立体は、機関の出力軸に連結済みのフライホイールに取付けられる構成とすることができる。
【００１３】
上記の構成において、請求項５に記載のように、前記組立体は、ノックピンを介するフライホイールへの位置決めにより機関の出力軸に対して心出しされる構成とするのが望ましい。
【００１４】
上記いずれの構成においても、請求項６に記載のように、前記捩れダンパは、捩れ吸収スプリングを介して相互に連結する第１及び第２のダンパディスクを有し、第１のダンパディスクの外周側にトルクリミッタの摩擦ディスクを取付けられ、第２のダンパディスクの内周に伝動装置の動力伝達軸と係合するスプラインが設けられた構成とするのが有効である。
【００１５】
【発明の作用及び効果】
上記請求項１記載の構成では、機関に比べて遥かに小型、軽量な構成部品のみの取扱いにより、機関とは独立させて、捩れダンパとトルクリミッタの組立を行なうことができるため、トルクリミッタ付ダンパ装置の組立作業能率を向上させることができる。また、捩れダンパとトルクリミッタは、機関やそれに取付けられたフライホイールに対して独立したセット荷重を負荷状態の組立体を構成するため、機関への組み付け前に組み上がり状態の部品として性能評価をすることができる。
更に、トルクリミッタは、捩れダンパと組合された組立体の状態でセット荷重を負荷されたものとなるため、機関の取扱いを必要とする組立体のフライホイールへの取付けは、適宜の単純な取付手段で行なうことができるようになる。したがって、トルクリミッタ付ダンパ装置の機関への組付け作業能率を大幅に向上させることができる。
次に、トルクリミッタを構成する一方のプレートが組立体のフライホイールへの取付部材となるため、捩れダンパとトルクリミッタをフライホイールに対して独立した組立体とすることに伴う部品点数の増加を抑えることができる。
【００１６】
上記請求項２記載の構成では、機関に比べて遥かに小型、軽量な構成部品のみの取扱いにより、機関とは独立させて、捩れダンパとトルクリミッタの組立を行なうことができるため、トルクリミッタ付ダンパ装置の組立作業能率を向上させることができる。また、捩れダンパとトルクリミッタは、機関やそれに取付けられたフライホイールに対して独立したセット荷重を負荷状態の組立体を構成するため、機関への組み付け前に組み上がり状態の部品として性能評価をすることができる。
更に、トルクリミッタは、捩れダンパと組合された組立体の状態でセット荷重を負荷されたものとなるため、機関の取扱いを必要とする組立体のフライホイールへの取付けは、適宜の単純な取付手段で行なうことができるようになる。したがって、トルクリミッタ付ダンパ装置の機関への組付け作業能率を大幅に向上させることができる。
また、トルクリミッタ付ダンパ装置の組立体化のための連結部材がフライホイールへの取付部材となるため、トルクリミッタを構成する一対のプレートの構造を単純化又は対称化することができ、必要に応じて同一部品として、部品品種数を削減することもできる。
【００１７】
上記請求項３記載の構成では、機関に比べて遥かに小型、軽量な構成部品のみの取扱いにより、機関とは独立させて、捩れダンパとトルクリミッタの組立を行なうことができるため、トルクリミッタ付ダンパ装置の組立作業能率を向上させることができる。また、捩れダンパとトルクリミッタは、機関やそれに取付けられたフライホイールに対して独立したセット荷重を負荷状態の組立体を構成するため、機関への組み付け前に組み上がり状態の部品として性能評価をすることができる。
更に、トルクリミッタは、捩れダンパと組合された組立体の状態でセット荷重を負荷されたものとなるため、機関の取扱いを必要とする組立体のフライホイールへの取付けは、適宜の単純な取付手段で行なうことができるようになる。したがって、トルクリミッタ付ダンパ装置の機関への組付け作業能率を大幅に向上させることができる。
また、トルクリミッタを構成する一方のプレートが他方のプレートとの連結部材となり、かつ組立体のフライホイールへの取付部材となるため、両プレート間の連結強度とフライホイールへの取付強度が向上する。更に、捩れダンパとトルクリミッタをフライホイールに対して独立した組立体とすることに伴う部品点数の増加も抑えることができる。
【００１８】
次に、請求項４に記載の構成によると、捩れダンパとトルクリミッタを組立体としてフライホイールに取付けることで、トルクリミッタ付ダンパ装置の機関への組付け作業が能率化される。
【００１９】
更に、請求項５に記載の構成によると、捩れダンパとトルクリミッタの機関出力軸への心出し作業を能率化することができる。
【００２０】
更に、請求項６記載の構成では、トルクリミッタが捩れダンパの外周側に配置される構造となり、大きな外径が確保されるため、一対のプレートとの当接面の径方向幅を小さくできる分だけトルクリミッタをコンパクト化することができる。また、従来構造のものと同様に、伝動装置の動力伝達軸の捩れダンパへのスプライン係合により、トルクリミッタの摩擦ディスクの心出しがなされる。
【００２１】
【発明の実施の形態】
以下、図面に沿い、本発明の実施形態を説明する。図１及び図２は本発明のトルクリミッタ付ダンパ装置の第１実施形態を示す。図１に軸方向断面を示すように、ダンパ装置は、機関の出力軸Ｘと伝動装置の動力伝達軸（その中心線のみを示す）Ｙとの間に介挿され、両軸Ｘ，Ｙ間の捩れ振動を吸収すべく、伝動装置の動力伝達軸Ｙに連結される捩れダンパ２と、捩れダンパ２の内周径よりも径方向外側で、伝動装置側から機関の出力軸Ｘとボルト止め連結されるフライホイール１と、フライホイール１と捩れダンパ２との間で伝達されるトルクを制限するトルクリミッタ３とから構成される。本発明の特徴に従い、トルクリミッタ３は、セット荷重負荷状態で捩れダンパ２に連結され、捩れダンパ２と組合された組立体とされている。トルクリミッタ３は、捩れダンパ２に連結された摩擦ディスク３１と、摩擦ディスク３１を挟んで相互に回り止め連結された一対のプレート３２Ａ，３２Ｂと、それら一対のプレート３２Ａ，３２Ｂを摩擦ディスク３１に押圧する付勢手段３３と、付勢手段３３にセット荷重を負荷する荷重設定手段３４，３５から成る。この形態では、一対のプレート３２Ａ，３２Ｂは、それらプレートとは別体の連結部材３５（荷重設定手段を兼ねる）により回り止め連結され、一方のプレート３２Ａにフライホイール１への取付手段４が設けられている。
【００２２】
各部について更に詳述すると、フライホイール１は、外周側を厚肉とした円板状とされ、その中心に心出し孔が形成され、外周側に取付手段４を締結するねじ孔が、取付手段４の図２に示す配置に合わせて、周方向に等間隔に８個形成されている。フライホイール１は、心出し孔を機関出力軸Ｘの軸端から突出するボス部に嵌め合わせて心出しされ、心出し孔の周囲を複数のボルトにより締結して、機関出力軸Ｘの軸端に固定されている。
【００２３】
組立体の一方の要素を構成する捩れダンパ２は、周方向に等間隔配置の４つ円筒コイルスプリングからなる捩れ吸収スプリング２３を介して相互に連結する第１及び第２のダンパディスク２１，２２を有し、第１のダンパディスク２１の外周側にトルクリミッタ３の摩擦ディスク３１が取付けられ、第２のダンパディスク２２の内周に伝動装置の動力伝達軸Ｙと係合するスプライン２２ｂが設けられている。詳しくは、第１のダンパディスク２１は、第２のダンパディスク２２を挟む一対のディスク２１Ａ，２１Ｂで構成され、それらの外周側をリベット止めで摩擦ディスク３１と共に固定されて一体化されている。第２のダンパディスク２２は、その内周側に軸方向に延びるボス部２２ａを有し、ボス部２２ａの内周面に動力伝達軸Ｙと係合するスプライン２２ｂが形成されている。
【００２４】
トルクリミッタ３は、一対のプレート３２Ａ，３２Ｂと、それらの間に挟まれる摩擦ディスク３１と、一方のプレート３２Ｂの背後に配設された付勢手段３３を構成する皿ばね形のスプリングと、スプリング３３のリテーナ３４を構成する環状の板と、一対のプレート３２Ａ，３２Ｂを回り止め連結し、かつそれらの配設径の設定により摩擦ディスク３１とそれに固定された捩れダンパのアセンブリ段階での粗い心出し手段として機能し、更にそれらの軸方向長の設定でスプリング３３に所定のセット荷重を負荷する機能も果たす周方向均等配置の６本のピン３５から構成されている。各ピン３５は、それらのヘッドをリテーナ３４に当接させ、一方のプレート３２Ｂの通し孔を貫通させ、他方のプレート３２Ａの孔に先端をかしめ止めされている。他方のプレート３２Ａは、一方のプレート３２Ｂに対して外径方向に拡径され、フライホイール１の外径に対応する外径とされている。そして、この拡径部に取付手段４を構成する８本のボルトの通し孔が形成されている。摩擦ディスク３１は、その外周側の両面に摩擦材を適宜の手段で添設した構成とされ、内周側が前記のようにリベット止めで第１のダンパディスク２１の外周側に固定されている。
【００２５】
こうした構成からなる捩れダンパ２とトルクリミッタ３は、ピン３５止めにより相互に外れ止め連結されて、１組の集合部品として取扱い可能な組立体を構成する。そして、トルクリミッタ３のプレート３２Ａ，３２Ｂ側のフライホイール１即ち機関出力軸Ｘに対する心出しは、他方のプレート３２Ａとフライホイール１に跨るノックピン５（図２参照）により組立体のフライホイール１への取付け時になされ、摩擦ディスク３１側の軸Ｙに対する心出しは、機関と伝動装置の連結時の捩れダンパ２の内周スプライン２２ｂと軸Ｙの図示しない外周スプラインとの嵌合により、捩れダンパ２の心出しに伴ってなされる。
【００２６】
このように捩れダンパ２とトルクリミッタ３をフライホイールに対して独立した組立体とする構造を採ることで、機関に比べて遥かに小型、軽量な構成部品のみの取扱いにより、機関とは独立させて、捩れダンパ２とトルクリミッタ３の組立を行なうことができるため、トルクリミッタ付ダンパ装置の組立作業能率を向上させることができる。また、トルクリミッタ３は、捩れダンパ２と組合された組立体の状態でセット荷重を負荷されたものとなるため、機関への組み付け前に組み上がり状態の部品として性能評価をすることができる。更に、機関の取扱いを必要とする組立体のフライホイール１への取付けは、予め機関出力軸にボルト止めされたフライホイール１への、ノックピン５による位置合わせ下でのボルト締めのみの単純な作業により行なうことができるようになる。したがって、トルクリミッタ付ダンパ装置の機関への組付け作業能率を大幅に向上させることができる。更に、この形態の場合、トルクリミッタ３を構成する一方のプレート３２Ａが組立体のフライホイール１への取付部材となるため、捩れダンパ２とトルクリミッタ３をフライホイール１に対して独立した組立体とすることに伴う部品点数の増加を抑えることができる。
【００２７】
次に、図３及び図４は本発明の第２実施形態を示す。この形態は、先の第１実施形態に対してトルクリミッタ３のプレート３２Ａ，３２Ｂ側の支持構造のみが相違する。以下、相違点のみ説明する。この形態では、一対のプレート３２Ａ，３２Ｂは、それらプレートとは別体の環状の連結部材３６により回り止め連結され、この連結部材３６にフライホイール１への取付手段４が設けられている。連結部材３６は、フライホイール１の外径に実質上相当する外径の厚肉の環状部材とされ、その内周に、図４に示すように周方向等間隔に８条のスプライン溝３６ａが形成されている。またこれらスプライン溝３６ａの形成部の中間には、放射方向に延びる８条のボルトヘッド収容溝３６ｂが形成されている。
【００２８】
一対のプレート３２Ａ，３２Ｂは、実質上同形かつ同寸法の環状板部材とされ、それらの外周に前記連結部材３６のスプライン溝３６ａに嵌合する８条のスプライン歯３２ａが形成されている。したがって、一対のプレート３２Ａ，３２Ｂは、連結部材３６とのスプライン係合で回り止めされる。一対のプレート３２Ａ，３２Ｂの軸方向位置規制は、連結部材３６のスプライン溝３６ａを横断して周回する２条の溝にそれぞれ嵌め込まれた、先の実施形態のリテーナに相当する一対のスナップリング３７Ａ，３７Ｂによりなされる。一方のプレート３２Ｂは、その端面を外側のスナップリング３７Ｂに当接させて軸方向支持され、他方のプレート３２Ａは、その背後に配設された付勢手段としての皿ばね形のスプリング３３を介してリテーナを構成する内側のスナップリング３７Ａに当接させて軸方向支持される。したがって、この形態では、両スナップリング３７Ａ，３７Ｂの溝間の軸方向長さの設定がスプリング３３に所定のセット荷重を負荷するように定められる。また、この形態では、連結部材３６のスプライン溝３６ａ間の山側が摩擦ディスク３１とそれに固定された捩れダンパ２のアセンブリ段階での心ずれ防止手段として機能する。
【００２９】
この形態における捩れダンパ２とトルクリミッタ３は、スナップリング止めにより相互に外れ止め連結されて、１組の集合部品として取扱い可能な組立体を構成する。そして、この場合のトルクリミッタ３のプレート３２Ａ，３２Ｂ側のフライホイール１（機関出力軸Ｘ）に対する心出しも、連結部材３６とフライホイール１に跨るノックピン５により組立体のフライホイール１への取付け時になされ、摩擦ディスク３１側の軸Ｙに対する心出しは、先の第１実施形態の場合と全く同様になされる。
【００３０】
この形態によっても、先の第１実施形態と同様のトルクリミッタ付ダンパ装置の組立体化の効果が得られる。そして、特にこの形態の場合、トルクリミッタ付ダンパ装置の組立体化のための連結部材３６がフライホイール１への取付部材となるため、トルクリミッタ３を構成する一対のプレート３２Ａ，３２Ｂを同一部品として、部品品種数を削減することもできる。
【００３１】
次に、図５〜図８は本発明の第３実施形態を示す。この形態は、一対のプレート３２Ａ，３８が、それらプレートの一方を他方に係合させて回り止め連結され、一方のプレート３８にフライホイール１への取付手段４が設けられた構成とされている。先の第２実施形態と比較すると、一方のプレート３２Ｂを連結部材３６と一体化させた点が基本的に相違し、この変更に伴いセット荷重の負荷手段も相違する。以下、相違点のみ説明する。この形態では、一方のプレートを兼ねる連結部材３８は、フライホイール１の外径に実質上相当する外径の厚肉の環状部材とされ、その内周側は、実質上摩擦ディスク３１の摩擦材の内外径差に相当する径差の段付孔とされている。更に、フライホイール１に面する側の側面には、図８に示すように、放射方向に延びる複数の溝３８ａが形成されている。
【００３２】
他方のプレート３２Ａは、その外周から放射方向に張出す複数の突起部３２ａを有し、これらの突起部３２ａがそれぞれ連結部材３８の前記溝３８ａに嵌め合わされて連結部材３８と他方のプレート３２Ａとの回り止めとされている。他方のプレート３２Ａの軸方向位置規制は、連結部材３８の端面に当て付けられた環状板部材３９でなされる。他方のプレート３２Ａは、その背後に配設された付勢手段としての皿ばね形スプリング３３を介してリテーナを構成する環状板部材３９に当接させて軸方向支持される。したがって、この形態では、連結部材３８の大径孔部の軸方向長さの設定がスプリング３３に所定のセット荷重を負荷するように定められる。また、この形態では、連結部材３８の大径孔部が摩擦ディスク３１とそれに固定された捩れダンパ２のアセンブリ段階での心ずれ防止手段として機能する。
【００３３】
この形態においてリテーナを構成する環状板部材３９は、図７に示すように、フライホイール１への当接側からのボルト６締めにより連結部材３８に締結される。なお、環状板部材３９には他方のプレート３２Ａの突起形成部に対応する位置には、図５に示すように、ピン３５’の通し孔が形成され、これらの孔を通したピン３５’の先端を他方のプレート３２Ａの対応する孔にかしめることで他方のプレート３２Ａの軸回り回転をなくす軸方向摺動ガイドとしている。
【００３４】
こうした構成からなる捩れダンパ２とトルクリミッタ３は、ボルト６締めにより相互に外れ止め連結されて、１組の集合部品として取扱い可能な組立体を構成する。この場合のトルクリミッタ３の連結部材３８のフライホイール１に対する心出しも、摩擦ディスク３１側の軸Ｙに対する心出しともに先の第２実施形態の場合と同様になされる。
【００３５】
この形態による場合、前記の組立体化の効果が得られるほか、トルクリミッタ３を構成する一方のプレートが他方のプレート３２Ａとの連結部材３８となり、かつ組立体のフライホイール１への取付部材となるため、両プレート間の連結強度とフライホイール１への取付強度が向上する。また、この形態では、連結部材３８の重量が大きくなるため、連結部材３８延いてはトルクリミッタ３の慣性質量が大きくなるため、トルクリミッタ３にある程度のフライホイール効果を持たせることができる。
【００３６】
以上、本発明の技術思想の理解の便宜のために、３つの実施形態を基に説明したが、本発明は、例示の実施形態に限定されるものではなく、特許請求の範囲の個々の請求項に記載の事項の範囲内で、種々に具体的な構成を変更して実施することができるものである。例えば、捩れダンパとトルクリミッタのフライホイール及び動力伝達軸への連結順序に関して、例示の各実施形態とは逆に、捩れダンパをフライホイールに連結し、トルクリミッタを動力伝達軸へ連結する連結関係を採ることもできる。
【図面の簡単な説明】
【図１】
本発明の第１実施形態に係るトルクリミッタ付ダンパ装置を機関出力軸への取付け状態で示す軸方向断面である。
【図２】
第１実施形態のトルクリミッタ付ダンパ装置を伝動装置連結側からみた半截正面図である。
【図３】
第２実施形態のトルクリミッタ付ダンパ装置を機関出力軸への取付け状態で示し、図４のＡ−Ａ方向にみた軸方向断面である。
【図４】
第２実施形態のトルクリミッタ付ダンパ装置を伝動装置連結側からみた半截正面図である。
【図５】
第３実施形態のトルクリミッタ付ダンパ装置を機関出力軸への取付け状態で示す軸方向断面である。
【図６】
第３実施形態のトルクリミッタ付ダンパ装置を伝動装置連結側からみた半截正面図である。
【図７】
図６のＢ−Ｂ部分断面図である。
【図８】
図５のＣ−Ｃ断面図である。
【図９】
従来のトルクリミッタ付ダンパ装置を機関出力軸への取付け状態で示す軸方向断面である。
【符号の説明】
Ｘ  出力軸
Ｙ  動力伝達軸
１  フライホイール
２  捩れダンパ
２１，２２  ダンパディスク
２２ｂ  スプライン
２３  捩れ吸収スプリング
３  トルクリミッタ
３１  摩擦ディスク
３２Ａ，３２Ｂ  プレート
３３  皿ばね（付勢手段）
３４，３７Ａ，３７Ｂ，３９  リテーナ（荷重設定手段）
３５，３６，３８  連結部材（荷重設定手段）
４，４Ａ  ボルト（取付手段）
７  ドライブプレート
【手続補正２】
【補正対象書類名】図面
【補正対象項目名】図９
【補正方法】変更
【補正の内容】
【図９】
2003013992.tif 000001
【手続補正３】
【補正対象書類名】図面
【補正対象項目名】図１１
【補正方法】削除
【補正の内容】
【手続補正４】
【補正対象書類名】図面
【補正対象項目名】図１０
【補正方法】削除
【補正の内容】